(57)【要約】【課題】被装着部材に対し確実に装着できる光学機器、及び、装着部材を被装着部材に対し確実に装着できる光学システムを提供する。【解決手段】光学装置２０は、被装着部材１０のバヨネット式の第１のマウント部６０に係合可能な第２のマウント部５０を有した本体部２１と、第１のマウント部６０と第２のマウント部５０との係合した位置において、被装着部材１０との間で吸着力を発生する吸着部材４１とを備える。【選択図】図１
2007279149.tif 000002
【特許請求の範囲】
【請求項１】
被装着部材のバヨネット式の第１のマウント部に係合可能な第２のマウント部を有した本体部と、
前記第１のマウント部と前記第２のマウント部との係合した位置において、前記被装着部材との間で吸着力を発生する吸着部材と
を備えることを特徴とする光学装置。
【請求項２】
請求項１に記載された光学装置であって、
前記吸着部材は、磁石であること
を特徴とする光学装置。
【請求項３】
請求項１又は請求項２に記載された光学装置であって、
前記第２のマウント部は、前記第１のマウント部との相対的な回転を規制する爪部を含み、
前記吸着部材は、前記爪部又はその近傍に設けられていること
を特徴とする光学装置。
【請求項４】
請求項２又は請求項３に記載された光学装置であって、
前記磁石は、前記第１のマウント部と前記第２のマウント部との相対的な回転方向に沿って、Ｓ極とＮ極とが配列されていること
を特徴とする光学装置。
【請求項５】
請求項１から請求項４までの何れか１項に記載された光学装置であって、
レンズ鏡筒、交換レンズ、レンズフード、フィルタおよびレンズキャップのうちの何れかであること
を特徴とする光学装置。
【請求項６】
装着部材と、被装着部材とを含む光学システムであって、
前記装着部材は、請求項１から請求項５までの何れか１項に記載された光学装置であり、
前記被装着部材は、
本体部と、
前記本体部に設けられた前記第１のマウント部と、
前記第１のマウント部又はその近傍に設けられた被吸着部材とを備え、
前記第１のマウント部及び前記第２のマウント部は互いに係合し、
前記吸着部材及び前記被吸着部材は互いに結合している
ことを特徴とする光学システム。
【請求項７】
請求項６に記載された光学システムであって、
前記第１のマウント部は、前記第２のマウント部との相対的な回転を規制する爪部を含み、
前記被吸着部材は、前記爪部又はその近傍に設けられていること
を特徴とする光学システム。
【請求項８】
請求項６又は請求項７に記載された光学システムであって、
前記吸着部材及び前記被吸着部材は磁石であり、
前記装着部材と前記被装着部材とが互いに装着された状態において、前記第１のマウント部、前記第２のマウント部は、前記装着部材と前記被装着部材との相対的な回転方向に直交する方向の位置を規制し、前記相対的な回転方向の位置を規制しないこと
を特徴とする光学システム。
【請求項９】
請求項６から請求項８までの何れか１項に記載された光学システムであって、
前記第１のマウント部及び前記第２のマウント部の少なくとも一方は、前記装着部材と前記被装着部材との相対的な回転を係止させる係止部を含み、
前記係止部に係止された状態において、前記吸着部材は、前記被吸着部材の近傍に配置されていること
を特徴とする光学システム。
【請求項１０】
請求項９に記載された光学システムであって、
前記吸着部材及び前記被吸着部材の少なくとも一方は、前記係止部の近傍に配置されていること
を特徴とする光学システム。
【請求項１１】
請求項６から請求項１０までの何れか１項に記載された光学システムであって、
前記装着部材は、前記第２のマウント部から、前記装着部材と前記被装着部材との相対的な回転方向に直交する方向に沿って形成された溝部を含み、
前記被装着部材は、前記装着部材と前記被装着部材とが互いに装着された状態において、前記溝部に沿って移動可能な移動部を含み、
前記溝部又はその近傍には、前記吸着部材が備えられ、
前記移動部には、前記被吸着部材が備えられていること
を特徴とする光学システム。
【発明の詳細な説明】
【技術分野】
【０００１】
本発明は、光学装置及び光学システムに関するものである。
【背景技術】
【０００２】
レンズフードは、レンズ鏡筒に対し磁石によって固定されるものが知られている（例えば、特許文献１参照）。
この従来のレンズフードは、例えば、磁力よりも大きな外力が加わった場合にレンズ鏡筒から外れる可能性がある。
【特許文献１】特開昭６１−６７８４１号公報
【発明の開示】
【発明が解決しようとする課題】
【０００３】
本発明の課題は、被装着部材に対し確実に装着できる光学機器、及び、装着部材を被装着部材に対し確実に装着できる光学システムを提供することである。
【課題を解決するための手段】
【０００４】
本発明は、以下のような解決手段により前記課題を解決する。なお、理解を容易にするために、本発明の実施形態を示す図面に対応する符号を付して説明するが、これに限定されるものではない。
請求項１の発明は、被装着部材（２０）のバヨネット式の第１のマウント部（６０）に係合可能な第２のマウント部（５０）を有した本体部（１１）と、前記第１のマウント部と前記第２のマウント部との係合した位置において、前記被装着部材との間で吸着力を発生する吸着部材（４１）とを備えることを特徴とする光学装置（１０）である。
【０００５】
請求項２の発明は、請求項１に記載された光学装置であって、前記吸着部材（４１）は、磁石であることを特徴とする光学装置である。
請求項３の発明は、請求項１又は請求項２に記載された光学装置であって、前記第２のマウント部（５０）は、前記第１のマウント部（６０）との相対的な回転を規制する爪部（５５）を含み、前記吸着部材（４１）は、前記爪部又はその近傍に設けられていることを特徴とする光学装置である。
請求項４の発明は、請求項２又は請求項３に記載された光学装置であって、前記磁石（４１）は、前記第１のマウント部（６０）と前記第２のマウント部（５０）との相対的な回転方向に沿って、Ｓ極とＮ極とが配列されていることを特徴とする光学装置である。
請求項５の発明は、請求項１から請求項４までの何れか１項に記載された光学装置であって、レンズ鏡筒（１０）、交換レンズ、レンズフード（２０）、フィルタおよびレンズキャップのうちの何れかであることを特徴とする光学装置である。
【０００６】
請求項６の発明は、装着部材（１０）と、被装着部材（２０）とを含む光学システムであって、前記装着部材は、請求項１から請求項５までの何れか１項に記載された光学装置であり、前記被装着部材は、本体部（２１）と、前記本体部に設けられた前記第１のマウント部（６０）と、前記第１のマウント部又はその近傍に設けられた被吸着部材（４２）とを備え、前記第１のマウント部及び前記第２のマウント部は互いに係合し、前記吸着部材及び前記被吸着部材は互いに結合していることを特徴とする光学システム（１）である。
請求項７の発明は、請求項６に記載された光学システムであって、前記第１のマウント部（６０）は、前記第２のマウント部（５０）との相対的な回転を規制する爪部（６１）を含み、前記被吸着部材（４２）は、前記爪部又はその近傍に設けられていることを特徴とする光学システムである。
請求項８の発明は、請求項６又は請求項７に記載された光学システムであって、前記吸着部材（３４１）及び前記被吸着部材（３４２）は磁石であり、前記装着部材と前記被装着部材とが互いに装着された状態において、前記第１のマウント部（３６０）、前記第２のマウント部（３５０）は、前記装着部材と前記被装着部材との相対的な回転方向に直交する方向の位置を規制し、前記相対的な回転方向の位置を規制しないことを特徴とする光学システムである。
請求項９の発明は、請求項６から請求項８までの何れか１項に記載された光学システムであって、前記第１のマウント部（６０）及び前記第２のマウント部（５０）の少なくとも一方は、前記装着部材（１０）と前記被装着部材（２０）との相対的な回転を係止させる係止部（５４）を含み、前記係止部に係止された状態において、前記吸着部材（４１）は、前記被吸着部材（４２）の近傍に配置されていることを特徴とする光学システムである。
請求項１０の発明は、請求項９に記載された光学システムであって、前記吸着部材（４１）及び前記被吸着部材（４２）の少なくとも一方は、前記係止部（５４）の近傍に配置されていることを特徴とする光学システムである。
請求項１１の発明は、請求項６から請求項１０までの何れか１項に記載された光学システムであって、前記装着部材（１０）は、前記第２のマウント部（６０）から、前記装着部材と前記被装着部材との相対的な回転方向に直交する方向に沿って形成された溝部（２４３）を含み、前記被装着部材（２０）は、前記装着部材と前記被装着部材とが互いに装着された状態において、前記溝部に沿って移動可能な移動部（２４１）を含み、前記溝部又はその近傍には、前記吸着部材（２４１）が備えられ、前記移動部には、前記被吸着部材が備えられていることを特徴とする光学システムである。
なお、符号を付して説明した構成は適宜変更してもよく、また、少なくとも一部を他の構成物に代替してもよい。
【発明の効果】
【０００７】
以上説明したように、本発明によれば、光学装置を被装着部材に対して、又は、装着部材を被装着部材に対して確実に装着することができる。
【発明を実施するための最良の形態】
【０００８】
［実施形態１］
以下、図面を参照して、本発明の光学システムの実施形態１を説明する。
図１は、実施形態１の光学システムを示す側面図であり、（ａ）は、レンズ鏡筒及びレンズフードの装着前の状態を、（ｂ）は、装着途中の状態を、（ｃ）は、装着が完了した状態をそれぞれ示している。
図２は、図１の光学システムを構成する各要素のマウント部をそれぞれ光軸方向から見た図であり、（ａ）は、レンズ鏡筒の鏡筒側マウント部を、（ｂ）は、レンズフードのフード側マウント部を、（ｃ）は、これらのマウント部が係合した状態を示している。
実施形態１の光学システム１は、レンズ鏡筒１０とレンズフード２０（以下、単に「フード２０」と称する）とがバヨネットマウント３０及び吸着部４０によって着脱可能に装着されるものである。
【０００９】
レンズ鏡筒１０は、本体部１１及び鏡筒側マウント部５０を備えている。
本体部１１は、例えば、合成樹脂材料によって形成された筒体である。この本体部１１は、その内径側に図示しないレンズ等を収容している。
鏡筒側マウント部５０は、バヨネットマウント３０の一部である。この鏡筒側マウント部５０については、後に説明する。
フード２０は、本体部２１及びフード側マウント部６０を備えている。
本体部２１は、例えば、合成樹脂材料によって形成された筒体である。
フード側マウント部６０は、バヨネットマウント３０の他部である。このフード側マウント部６０については、後に説明する。
【００１０】
バヨネットマウント３０は、レンズ鏡筒１０に設けられた鏡筒側マウント部５０とフード２０に設けられたフード側マウント部６０とを備えている。
鏡筒側マウント部５０は、レンズ鏡筒１０の光軸方向対物側の端部に設けられている。この鏡筒側マウント部５０は、例えば、ステンレス鋼等の金属材料によって形成され、レンズ鏡筒１０の本体部１１に対して固定されている。
【００１１】
鏡筒側マウント部５０は、基部５１、環部５２、凸部５３及び係止部５４を備えている。
基部５１は、その外周縁部がレンズ鏡筒１０の本体部１１における光軸方向対物側の内周縁部に接続された円環状の部分である。
環部５２は、レンズ鏡筒１０の本体部１１と略同心に配置された円環状の部分である。この環部５２は、基部５１の内周縁部から光軸方向対物側に突き出して設けられている。
凸部５３は、環部５２の光軸方向対物側の端部から、環部５２の外径側に突き出して形成されたつば状の部分である。この凸部５３は、例えば、光軸Ａを挟んで一対設けられている（図２（ａ）参照）。これらの凸部５３の光軸を中心とする周方向（以下、単に「周方向」という）の長さは、例えば、それぞれ環部５２の外周長さの略１／４となっている。
このように、環部５２は、凸部５３が設けられているふたつの領域と、凸部５３が設けられていないふたつの領域が光軸回りに交互に配置されている。
【００１２】
ここで、環部５２における一対の凸部５３が設けられている部分に着目すると、この部分は、環部５２の外周面、基部５１の光軸方向対物側に面した面、及び、基部５１に対向する凸部５３の面によって形成された溝を備えている。
以下、鏡筒側マウント部５０において、環部５２の凸部５３が設けられた部分を「爪部５５」、凸部５３が設けられていない部分を「挿入部５６」、爪部５５が設けられた部分に形成される上記溝を「ガイド部５７」とそれぞれ称して説明する。
【００１３】
係止部５４は、ガイド部５７における周方向の一方の端部を閉塞して設けられている。これによって、ガイド部５７は、周方向における一方の端部が開口端に、他方の端部が閉塞端になっている。
係止部５４は、一対の爪部５５に対してそれぞれひとつずつ設けられている。これらの係止部５４は、例えば、光軸Ａを挟んで対称に配置されている。
以上説明した基部５１、環部５２、凸部５３及び係止部５４は、例えば、切削加工によって一体的に形成することができる。
【００１４】
フード側マウント部６０は、フード２０の本体部２１における光軸方向像側の端部に設けられている。このフード側マウント部６０は、爪部６１を備えている。
爪部６１は、フード２０の本体部２１における光軸方向像側の内周縁部からフード２０の内径側に突き出して形成されたつば状の部分である。
この爪部６１は、例えば、光軸Ａを挟んで一対設けられている（図２（ｂ）参照）。このように、フード側マウント部６０は、爪部６１が設けられているふたつの領域と、爪部６１が設けられていないふたつの領域が周方向に交互に配置されている。
これらの爪部６１の周方向の長さは、鏡筒側マウント部５０の挿入部５６の周方向の長さより短くなっており、爪部６１は、挿入部５６に挿入可能になっている。
また、爪部６１の光軸方向に沿った方向の寸法は、鏡筒側マウント部５０のガイド部５７の光軸方向に沿った方向の寸法（溝幅）よりも小さくなっており、爪部６１は、ガイド部５７に対して挿入可能になっている。
フード側マウント部６０は、例えば、インジェクション成形によって、フード２０の本体部２１と一体に形成される。
【００１５】
吸着部４０は、磁石４１、鉄片４２を備えている。
磁石４１は、鏡筒側マウント部５０の環部５２におけるガイド部５７が形成された部分に埋め込まれている。この磁石４１は、鉄片４２に対応する任意の位置に設けることができる。
この磁石４１は、鏡筒側マウント部５０の係止部５４に隣接して配置されている。この磁石４１は、光軸Ａを挟んで一対設けられている。
【００１６】
鉄片４２は、例えば、鉄系の金属材料によって形成された小片であり、磁力によって磁石４１に吸着する性質を備えている。
鉄片４２は、フード側マウント部６０の爪部６１に埋め込まれている。この鉄片４２は、フード２０がレンズ鏡筒１０に装着された状態において、磁石４１に対向する位置に配置されている。
【００１７】
以下、フード２０をレンズ鏡筒１０に装着する際の動作を説明する。
レンズ鏡筒１０及びフード２０は、フード側マウント部６０の爪部６１と鏡筒側マウント部５０の挿入部５６とが光軸方向から見て重なった状態で、互いに接近する方向に相対移動される。これによって、フード側マウント部６０の爪部６１が鏡筒側マウント部５０の挿入部５６に挿入される（図１（ｂ）参照）。
【００１８】
次に、レンズ鏡筒１０及びフード２０は、光軸回りの一方方向に相対回転される。以下、この回転方向を、単に「装着方向」と称して説明する。なお、理解を容易にするため、図１は、レンズ鏡筒１０を固定し、フード２０をレンズ鏡筒１０に対して回転させた場合を示している。これによって、フード側マウント部６０の爪部６１が、鏡筒側マウント部５０のガイド部５７に挿入される。
このときフード側マウント部６０の爪部６１は、鏡筒側マウント部５０の爪部５５と噛み合っており、鏡筒側マウント部５０及びフード側マウント部６０は、光軸回りの相対的な回転方向と直交する方向の位置が規制される。
また、レンズ鏡筒１０及びフード２０を装着方向に相対回転させると、フード側マウント部６０の爪部６１が、鏡筒側マウント部５０の係止部５４に当接する。これによって、レンズ鏡筒１０及びフード２０の装着方向への相対回転が係止される。
【００１９】
ここで、このレンズ鏡筒１０及びフード２０の相対回転が係止された状態において、磁石４１は、鉄片４２と対向する（図１（ｃ）参照）。
鉄片４２は、磁力によって磁石４１に吸着し、これによって、レンズ鏡筒１０及びフード２０の光軸回りの装着方向とは反対方向の相対回転が制限される。
【００２０】
以上、説明したように実施形態１の光学システム１によれば、以下の効果を得ることができる。
（１）レンズ鏡筒１０及びフード２０をバヨネットマウント３０によって接続することによって、これらの相対的な回転方向と直交する方向の位置を規制するとともに、吸着部４０によってこれらの装着方向とは反対方向への相対的な回転を制限するから、フード２０をレンズ鏡筒１０に確実に装着できる。
（２）レンズ鏡筒１０とフード２０とを装着する際、磁石４１と鉄片４２との間に引力が発生するから、この引力によってこれらの相対回転速度が加速され、ユーザは、クリック感が得られる。また、フード２０をレンズ鏡筒１０から取り外す際にも、クリック感が得られる。
（３）レンズ鏡筒１０及びフード２０が分離する方向への相対回転を係止する手段として、弾性爪等を設けることも考えられる。しかし、この場合、フード２０の着脱を繰り返すことによって弾性爪が磨耗し、これらの固定を確実に行うことが困難になる可能性がある。
これに対し、実施形態１の光学システム１の吸着部４０（磁石４１、鉄片４２）は、変形を伴わないで吸着するので磨耗が発生し難い。したがって、バヨネットマウント３０は、耐久性が向上する。また、構造が簡単であるから、部品点数を減少させることもできる。
【００２１】
［実施形態２］
次に本発明を適用した光学システムの実施形態２について説明する。なお、以下説明する実施形態２及びその他の実施形態において、上述した実施形態１と同様な機能を果たす部分には、同一の符号又は末尾に統一した符号を付して、重複する説明や図面を適宜省略する。
図３は、本発明を適用した光学システムの実施形態２を示す図であり、（ａ）は側面図を、（ｂ）から（ｄ）は、レンズ鏡筒とフードとを装着する際の磁石の位置関係を光軸方向から見た図である。
実施形態２の光学システム２は、吸着部１４０が一組の磁石１４１、１４２を備えている（吸着部１４０は図示省略）。磁石１４１は、鏡筒側マウント部１５０に、磁石１４２は、フード側マウント部１６０にそれぞれ設けられている。以下、磁石１４１を「鏡筒側磁石１４１」、磁石１４２を「フード側磁石１４２」とそれぞれ称して説明する。
【００２２】
鏡筒側磁石１４１は、実施形態１の磁石４１と略同じ位置に配置されている。この鏡筒側磁石１４１は、周方向にＮ極とＳ極とがガイド部１５７の開口端から閉塞端に向けてこの順番に配置されている。
フード側磁石１４２は、実施形態１の鉄片４２と略同じ位置に配置されている。このフード側磁石１４２は、レンズ鏡筒１１０及びフード１２０の装着状態において、鏡筒側磁石１４１のＳ極とフード側磁石１４２のＮ極、鏡筒側磁石１４１のＮ極とフード側磁石１４２のＳ極とが、それぞれ対向する位置に配置されている。
なお、鏡筒側磁石１４１、フード側磁石１４２の磁極は、それぞれ上述の場合とは周方向に逆向きの配置とすることもできる。
このように、鏡筒側磁石１４１及びフード側磁石１４２は、レンズ鏡筒１１０及びフード１２０の装着方向に沿って磁極が配置され、レンズ鏡筒１１０とフード１２０とを対向させたときに対向した鏡筒側磁石１４１、フード側磁石１４２の磁極が逆極性となっている。
【００２３】
次に、実施形態２の光学システム２において、フード１２０がレンズ鏡筒１１０に装着される際の動作を説明する。
実施形態２の光学システム２も実施形態１と同様に、まず、フード側マウント部１６０の爪部１６１が、鏡筒側マウント部１５０の挿入部１５６（図示省略）に挿入され、次いで、レンズ鏡筒１１０及びフード１２０が、装着方向に相対回転される（図３（ｂ）参照）。
鏡筒側磁石１４１及びフード側磁石１４２の磁極は、装着方向に沿って互いに反対に配置されているので、レンズ鏡筒１１０とフード１２０とを装着方向に相対回転させると、互いのＮ極同士が接近して、これらの間に斥力が発生する（図３（ｃ）参照）。
【００２４】
この状態から、レンズ鏡筒１１０及びフード１２０がさらに装着方向に相対回転されると、フード側マウント部１６０の爪部１６１が、鏡筒側マウント部１５０の係止部１５４に当接する。
これによって、フード側磁石１４２のＮ極、Ｓ極が、鏡筒側磁石１４１のＳ極、Ｎ極に対してそれぞれ対向してフード側磁石１４２と鏡筒側磁石１４１とが吸着する（図３（ｄ）参照）。
フード側磁石１４２と鏡筒側磁石１４１とが吸着すると、この吸着力によって、フード１２０をレンズ鏡筒１１０から離脱させる方向へのこれらの相対回転が制限され、フード１２０は、レンズ鏡筒１１０に対して固定される。
【００２５】
実施形態２の光学システム２は、レンズ鏡筒１１０とフード１２０とを装着する際に、鏡筒側磁石１４１とフード側磁石１４２との間に斥力が発生する状態から引力が発生する状態へと移行する。ユーザは、この状態が移行した瞬間に実施形態１よりも強いクリック感が得られる。
【００２６】
［実施形態３］
次に本発明を適用した光学システムの実施形態３について説明する。
図４は、実施形態３の光学システムを示す側面図であり、（ａ）は、レンズ鏡筒及びレンズフードの装着前の状態を、（ｂ）は、装着途中の状態を、（ｃ）は、これらの相対回転が係止された状態を、（ｄ）はこれらの装着が完了した状態をそれぞれ示している。
図５は、図４（ｄ）のＶ部拡大図である。
実施形態３の光学システム３は、吸着部２４０として、移動部２４１、ばね２４２、溝部２４３、磁石２４４を備えている（吸着部２４０は図示省略）。
移動部２４１は、鉄系の金属材料によって形成された略直方体の小片であり、実施形態１の鉄片に代えてフード側マウント部２６０の爪部２６１に設けられている。
この移動部２４１は、フード２２０の光軸方向像側の端部から突き出した突出位置と、爪部２６１に収納された収納位置との間を、フード２２０に対して光軸方向に移動可能になっている。
【００２７】
ばね２４２は、一方の端部がフード側マウント部２６０の爪部２６１、他方の端部が移動部２４１にそれぞれ接続されたねじりばねである。このばね２４２は、移動部２４１を収納位置に付勢している。
また、フード２２０は、図示しない操作部を備えている。この操作部は、移動部２４１に接続されており、この光学システム３のユーザは、この操作部を操作することによって移動部２４１を突出位置から収納位置に移動させることができる。
【００２８】
溝部２４３は、鏡筒側マウント部２５０の基部２５１を凹ませて形成されている。この溝部２４３は、例えば、鏡筒側マウント部２５０におけるガイド部２５７の閉塞端の近傍に設けられている。
この溝部２４３及び移動部２４１は、フード側マウント部２６０の爪部２６１が係止部２５４に当接して、レンズ鏡筒２１０及びフード２２０の装着方向への相対回転が係止された状態において、移動部２４１が突出状態へ移行することによって係合するようになっている。
磁石２４４は、溝部２４３の底部に設けられている。この磁石２４４は、鉄系の金属材料によって形成された移動部２４１に吸着する性質を備えている。
この磁石２４４と移動部２４１との間に作用する磁力は、移動部２４１に対するばね２４２の付勢力よりも大きく設定されている。
【００２９】
次に実施形態３の光学システム３において、レンズ鏡筒２１０とフード２２０とが装着される際の動作を説明する。なお、理解を容易にするため、図４は、レンズ鏡筒２１０を固定し、フード２２０をレンズ鏡筒２１０に対して回転させた場合を示している。
実施形態３の光学システム３も、実施形態１の光学システム１と同様に、まず、フード側マウント部２６０の爪部２６１が、鏡筒側マウント部２５０の挿入部に挿入される（図４（ｂ）参照）。
次いで、レンズ鏡筒２１０及びフード２２０は、装着方向に相対回転され、フード側マウント部２６０の爪部２６１が、鏡筒側マウント部２５０のガイド部２５７に挿入される（図４（ｃ）参照）。
【００３０】
ここで、レンズ鏡筒２１０及びフード２２０が装着方向に相対回転され、爪部２６１が係止部２５４に当接すると、移動部２４１と磁石２４４との間に作用する磁力によって、移動部２４１が収納位置から突出位置へ移動して磁石２４４に吸着する（図４（ｄ）参照）。
この移動部２４１と磁石２４４とが吸着した状態において、移動部２４１は、溝部２４３に嵌合しており、レンズ鏡筒２１０及びフード２２０は、装着方向とは反対方向への相対回転が制限される。
なお、フード２２０をレンズ鏡筒２１０から取り外す際は、操作部を操作して移動部２４１を収納位置へ移動させ、この状態で、レンズ鏡筒２１０及びフード２２０を装着方向とは反対の方向に相対回転させる。
【００３１】
実施形態３の光学システムによれば、レンズ鏡筒２１０及びフード２２０の装着方向とは反対方向への相対回転を、移動部２４１及び溝部２４３によって機械的に制限するから、レンズ鏡筒２１０とフード２２０とをより確実に装着できる。
【００３２】
［実施形態４］
次に本発明を適用した光学システムの実施形態４について説明する。
図６は、本発明を適用した光学システムの実施形態４を構成する各要素のマウント部をそれぞれ光軸方向から見た図であり、（ａ）は、鏡筒側マウント部を、（ｂ）は、フード側マウント部を、（ｃ）は、これらのマウント部が係合した状態を示している。
実施形態４の光学システム４は、実施形態１において鏡筒側マウント部５０に設けられた係止部５４を備えていない。したがって、鏡筒側マウント部３５０及びフード側マウント部３６０は、フード３２０とレンズ鏡筒３１０とが互いに装着された状態において、これらの相対的な回転方向に直交する方向の位置を規制し、かつ、この相対的な回転方向の位置を規制しないようになっている。
また、磁石３４１は、例えば、鏡筒側マウント部３５０の爪部３５５における周方向の略中央部に設けられている。
さらに、鉄片３４２も、例えば、フード側マウント部３６０の爪部３６１における光軸回りの周方向の略中央部に設けられている。
また、磁石３４１及び鉄片３４２は、互いに吸着できる任意の位置に設けることができる。
【００３３】
実施形態４の光学システム４によれば、レンズ鏡筒３１０及びフード３２０は、爪部３６１が挿入部３５６の挿入された後、装着方向とは反対の方向に相対回転された場合であっても磁石３４１と鉄片３４２とが吸着するので使い勝手がよい。
【００３４】
［変形形態］
本発明の光学システム及び光学機器は、以上説明した実施形態に限定されることなく、以下のような種々の変形や変更が可能であって、これらも本発明の技術的範囲に含まれる。
（１）光学システムの構成は、実施形態に記載したものに限られず、適宜変更が可能である。例えば、実施形態における吸着部材は、磁石であったが、吸着部材はこれに限らず、被装着部材との間で吸着力を発生するものであれば、他の部材でもよい。
また、実施形態に示した装着部材の吸着力を発生させる構成を被装着部材に設け、実施形態に示した被装着部材の吸着力を発生させる構成を装着部材に設けてもよい。
さらに、実施形態において、バヨネットマウントの爪部は、レンズ鏡筒、フードにそれぞれ一対（ふたつ）設けられていたが、爪部の数はこれに限らず、例えば、３つ以上設けられていてもよい。
（２）実施形態の光学システムは、レンズ鏡筒とフードとを装着するものであったが、装着部材、被装着部材の組み合わせは、これに限られず、例えば、レンズキャップやレンズフィルタをレンズ鏡筒（交換レンズを含む）に装着するものであってもよい。
（３）実施形態１、３及び４は、レンズ鏡筒側に磁石、フード側に鉄片（実施形態３においては移動部）が設けられていたが、例えば、レンズ鏡筒、フードの両方に磁石が設けられていてもよい。
【図面の簡単な説明】
【００３５】
【図１】本発明を適用した光学システムの実施形態１を示す図である。
【図２】図１の光学システムを構成する各要素のマウント部を示す図である。
【図３】本発明を適用した光学システムの実施形態２を示す図である。
【図４】本発明を適用した光学システムの実施形態３を示す図である。
【図５】図４のＶ部拡大図である。
【図６】本発明を適用した光学システムの実施形態４を示す図である。
【符号の説明】
【００３６】
１  光学システム  ：  １０  レンズ鏡筒  ：  １１  本体部
２０  レンズフード  ：  ２１  本体部  ：  ３０  バヨネットマウント
４１  磁石  ：  ４２  鉄片  ：  ５０  鏡筒側マウント部
５４  係止部  ：  ６０  フード側マウント部
【図１】
2007279149.tif 000003
【図２】
2007279149.tif 000004
【図３】
2007279149.tif 000005
【図４】
2007279149.tif 000006
【図５】
2007279149.tif 000007
【図６】
2007279149.tif 000008